(57)【要約】【課題】高品質画像を取得できるカメラ、詳細画像受信方法、および詳細画像受信用プログラムを提供する。【解決手段】放送局から放送された動画像とアクセス先に関する情報を受信する放送受信部５ｃと、動画像を静止画像として仮記録するタイミングを指示するレリーズ部１ａと、無線送信が可能になった際に、アクセス先にタイミングに関する情報を送信し、またアクセス先と通信して静止画像に対応した詳細画像を受信するデータ送受信部９ｃを備える。【選択図】  図１
2014027666.tif 000002
【特許請求の範囲】
【請求項１】
放送局から放送された動画像とアクセス先に関する情報を受信する放送受信部と、
上記動画像を静止画像として仮記録するタイミングを指示するレリーズ部と、
無線送信が可能になった際に、上記アクセス先に上記タイミングに関する情報を送信する送信部と、
上記アクセス先と通信して上記静止画像に対応した詳細画像を受信する受信部と、
を具備することを特徴とするカメラ。
【請求項２】
撮像部と、
再生時に上記撮像部によって撮影された画像、または上記受信部を介して取得した上記静止画像に対応した詳細画像を表示可能な表示部と、
を更に具備することを特徴とする請求項１に記載のカメラ。
【請求項３】
上記アクセス先は、上記詳細画像として複数の画像を有し、
上記放送受信部は、上記詳細画像に対応する動画放送時間情報を取得する、
ことを特徴とする請求項１に記載のカメラ。
【請求項４】
放送局から放送された動画像とアクセス先に関する情報を受信し、
上記動画像を静止画像として仮記録するタイミングを指示し、
無線送信が可能になった際に、上記アクセス先に上記タイミングに関する情報を送信し、
上記アクセス先と通信して上記静止画像に対応した詳細画像を受信する、
ことを特徴とする詳細画像受信方法。
【請求項５】
放送局から放送された動画像とアクセス先に関する情報を受信し、
上記動画像を静止画像として仮記録するタイミングを指示し、
無線送信が可能になった際に、上記アクセス先に上記タイミングに関する情報を送信し、
上記アクセス先と通信して上記静止画像に対応した詳細画像を受信する、
ことをコンピュータに実行させることを特徴とする詳細画像受信用プログラム。
【発明の詳細な説明】
【技術分野】
【０００１】
本発明は、テレビ等の放送受信機能を有するカメラ、詳細画像受信方法、および詳細画像受信用プログラムに関する。
【背景技術】
【０００２】
近年、デジタルカメラの画像送信の容易さを利用して、パーソナルコンピュータ（ＰＣ）通信やインターネット、携帯電話回線などを利用して画像送信を行なうことにより画像を楽しむ機会が増えてきている。また、こうしたネットワークに対応する製品の多くは、マルチメディアに対応した画像、音声の再生部を有しており、テレビ放送などの受信、再生機能を有するものも現れてきている。この機能を使えば、ネットワークを介しての複雑なアクセスの制御を行わなくとも、放送されてくるコンテンツを気楽に楽しむことができる。
【０００３】
テレビ放送のコンテンツは、多くの企業が多額の費用を負担して制作したコマーシャル（ＣＭ）などを含み、これらの映像には魅力的なものが多く、古くからビデオなどに録画して楽しむ人も多かった。また、最近では、ワンセグと呼ばれる携帯電話などの携帯機器向けの地上デジタルビジョン放送も始まっており、画像や音声に限らずテキストデータ等の送信も可能となってきている。
【０００４】
また、従来からテレビ放送を撮影したり、撮像装置を遠隔操作する技術は種々提案されている。例えば、特許文献１には、テレビ画像を撮影するためにシャッタを切ると、この画像の垂直同期信号に対応するタイミングで撮影画像をメモリに記録するデジタルカメラが開示されている。また、特許文献２には、ネットワーク上の複数のカメラを任意に選択し、遠隔操作することで高品質の画像を得ることのできる撮像システムが開示されている。さらに、特許文献３には、情報通信端末で配信される動画コンテンツを受信し、再生時に表示されている物品をショッピングする際のセキュリティを向上するシステムが開示されている。
【先行技術文献】
【特許文献】
【０００５】
【特許文献１】特開２０００−１９４０６３号公報
【特許文献２】特開２００２−３５４４６０号公報
【特許文献３】特開２００６−２３６２９５号公報
【発明の概要】
【発明が解決しようとする課題】
【０００６】
このようにテレビ放送は身近になってきているが、これらの魅力的な放送番組やＣＭで気に入った場面を撮影するに適したカメラは提案されていない。前述の特許文献１に記載のデジタルカメラにおいては、テレビ放送をそのまま記録することから、十分質の高い画像を得ることができない。また、特許文献２に記載の撮像システムでは、高品質の画像を得ることはできるが、放送画像そのものの画像を得るものではない。さらに、特許文献３に記載のシステムでは、受信した動画をワンタッチで静止画することができるが、動画をそのまま静止画するだけなので、高品質の画像を得ることができない。
【０００７】
本発明は、このような事情を鑑みてなされたものであり、高品質画像を取得できるカメラ、詳細画像受信方法、および詳細画像受信用プログラムを提供することを目的とする。
【課題を解決するための手段】
【０００８】
上記目的を達成するため第１の発明に係るカメラは、放送局から放送された動画像とアクセス先に関する情報を受信する放送受信部と、上記動画像を静止画像として仮記録するタイミングを指示するレリーズ部と、無線送信が可能になった際に、上記アクセス先に、上記タイミングに関する情報を送信する送信部と、上記アクセス先と通信して上記静止画像に対応した詳細画像を受信する受信部と、を具備する。
【０００９】
第２の発明に係るカメラは、上記第１の発明において、撮像部と、再生時に上記撮像部によって撮影された画像、または上記受信部を介して取得した上記静止画像に対応した詳細画像を表示可能な表示部と、を更に具備する。
第３の発明に係るカメラは、上記第１の発明において、上記アクセス先は、上記詳細画像として複数の画像を有し、上記放送受信部は、上記詳細画像に対応する動画放送時間情報を取得する。
【００１０】
第４の発明に係る詳細画像受信方法は、放送局から放送された動画像とアクセス先に関する情報を受信し、上記動画像を静止画像として仮記録するタイミングを指示し、無線送信が可能になった際に、上記アクセス先に上記タイミングに関する情報を送信し、上記アクセス先と通信して上記静止画像に対応した詳細画像を受信する。
第５の発明に係る詳細画像受信用プログラムは、放送局から放送された動画像とアクセス先に関する情報を受信し、上記動画像を静止画像として仮記録するタイミングを指示し、無線送信が可能になった際に、上記アクセス先に上記タイミングに関する情報を送信し、上記アクセス先と通信して上記静止画像に対応した詳細画像を受信する、ことをコンピュータに実行させる。
【発明の効果】
【００１１】
本発明によれば、本発明によれば、高品質画像を取得できるカメラ、詳細画像受信方法、および詳細画像受信用プログラムを提供することができる。
【図面の簡単な説明】
【００１２】
【図１】本発明の一実施形態に係わるデジタルカメラとその周辺のブロック図である。
【図２】本発明の一実施形態に係わる、カメラ、放送局およびサーバーとからなるシステムを示すブロック図である。
【図３】本発明の一実施形態において、カメラの制御を示すフローチャートである。
【図４】本発明の一実施形態において、放送局とサーバーの動作を示すフローチャートである。
【発明を実施するための形態】
【００１３】
以下、図面に従って本発明を適用したカメラと、画像送信システムを用いて好ましい実施形態について説明する。本実施形態においては、ワンセグ放送等により受信中のテレビ画像を撮影すると、その撮影タイミング（日時情報）やその構図に基づいて、サーバーは高品位画像を検索し、検索された高品位画像をカメラに送信するので、カメラは高品位画像を記録することができる。また、ワンセグ放送等のデータ通信を利用し、再放送の時間情報等を含む放送データを請求し、受信した放送データ中の再放送時には警告を発するようにしている。
【００１４】
図１は、本発明の一実施形態に係わるデジタルカメラとその周辺のブロック図である。ユーザーが使用するカメラ１００には、撮影レンズ２、ＡＦ（オートフォーカス）制御部２ａ、絞り２ｂ、絞り制御部２ｃ、撮像素子３、アナログフロントエンド（以下、ＡＦＥと略す）部４が設けられている。撮影レンズ２は、内部にフォーカスレンズを有し、入射した被写体２０の像を撮像素子３上に結像させる。
【００１５】
ＡＦ制御部２ａは、撮影レンズ２の合焦位置を、後述する画像処理部５内において画像処理を行い、いわゆる山登り法により検出し、フォーカスレンズを駆動して、合焦位置に移動させる。なお、山登り法は、撮影画像のコントラスト信号ピークから合焦位置（ピント位置）を検出する方式であるが、山登り法以外にも、例えば位相差法や三角測距法等公知の合焦方法に置き換えてもよい。ＡＦによって合焦位置に達すると、このときの撮影レンズ２を検出することにより、距離判定を行うことができる。この場合、撮影レンズ２がズームレンズのときには、ズーム位置等を加味して距離の判定を行う。
【００１６】
撮影レンズ２内または近傍に、シャッタや絞りの効果を奏する絞り２ｂが設けられる。絞り２ｂは、撮影時に所定の口径まで開き、露出が終了すると閉じて露光を終了させるものである。絞り制御部２ｃは、絞り２ｂを駆動して絞り径を設定する。この絞りを変えることによって、レンズの被写界深度が変化するので、背景のぼけ具合などを調整して、被写体を浮かび上がらせたり、背景をしっかりと描写したりするなど、表現の切り替えを行うことができる。撮像素子３は、多数の受光面（画素）からなるＣＣＤやＣＭＯＳセンサ等であり、撮影レンズ２を介して被写体２０からの像を受光しこれを画像信号に変換する。
【００１７】
アナログフロントエンド（ＡＦＥ）部４は、アナログデジタル変換（ＡＤ）手段を含み、撮像素子３からの信号をデジタル信号化する。そして、ＡＦＥ部４は、撮像素子３から出力される画像信号について各種処理を行う。また、ＡＦＥ部４には、撮像素子３のいくつかの画素をまとめて、一括して読み出す機能も設けられている。たとえば、４画素（２×２）や９画素（３×３）など、各画素の信号レベルが小さいときには、いくつかの画素信号を加算して、Ｓ／Ｎを向上させることができ、また、感度を上げることも出来る。
【００１８】
このような操作によって感度を上げることができ、シャッタスピードを速くする等、撮影上の工夫が可能となる。シャッタスピードが速いと、動いている被写体が止まっているように撮影することが可能となる。シャッタスピードをユーザーが切り替え可能とし、適正露出を絞りや感度の制御で行うカメラでは、一般にシャッタスピードを遅くすれば、例えば、川の流れを撮影する際に、水の流れが糸のように伸びた描写が可能となる。シャッタスピードを速くすれば、同じ川の流れを撮影したとしても、その瞬間がとらえられ、水しぶきが上がった瞬間や、さざなみの様子が細かく再現可能となる。また、スポーツ写真
でも、シャッタスピードを速くすれば、被写体の動きを止めることが出来、その表情までをはっきり写しこむことが可能となる。
【００１９】
また、ＡＦＥ部４は、撮像素子３の出力する信号を取捨選択する機能を有し、受光範囲の中から限られた範囲の画像データを抽出することが出来る。一般に撮像素子３の画素から間引いた画素信号を抽出する場合には、高速読出が可能となる。これにより構図確認用の画像信号を、画像処理部５によって高速処理し、表示制御部８ａを介して表示パネル８に表示することにより、フレーミングが可能となる。
【００２０】
ＡＦＥ部４の出力は、画像処理部５に接続されている。画像処理部５は、入力信号の色や階調やシャープネスを補正処理する。また、撮像素子３から得られた画像信号を所定のレベルに増幅して、正しい濃淡、正しい灰色レベルに設定する増感部を有している。これは、デジタル化された信号レベルが、所定レベルになるようにデジタル演算するものである。また、画像処理部５は、ライブ画像をリアルタイムに表示部に表示できるように、撮像素子３からの信号を表示パネル８に表示できるようなサイズに加工するリサイズ部５ｂを有する。この働きによって、撮影に先立って撮像素子に入射する像を確認でき、これを見ながら撮影時のタイミングやシャッタチャンスを決定することが出来る。
【００２１】
また、この画像処理部５の信号を利用して、撮像素子から入力されてくる画像の特徴などを判定する画像判定機能を有している。例えば、画像情報を加工して得られる輪郭情報から、撮像しているものの形状を検出する形状判定部５ａ、また、画像の特徴を調べて、主要被写体の位置を検出する顔検出手段５ｄなどが、このシステムには含まれている。これは、写真撮影時に、ユーザーがどのような写真を撮ろうとしているかを判定して、撮影制御を最適化するためのものである。
【００２２】
また、画像処理部５は、前述した画像のコントラストを判定する機能を有し、撮影レンズのピント合わせ手段との連動で、オートフォーカスの制御を行う。撮影レンズ２のピント合わせ時のレンズ位置の情報によって、被写体の距離や、背景の距離などが判定できる。さらに、画像処理部５は、ＴＶ放送を受信する放送受信部５ｃが接続されている。放送受信部５ｃは、受信画像を再生して、表示パネル８に表示することが可能である。ユーザーは、後述するスイッチ（１ａ〜１ｃ）を操作することにより、放送表示モード切り替えることができる。これによって、撮影レンズ２および撮像素子３によって取得した画像以外にも、この放送画像をモニタしながら撮影することができる。
【００２３】
ただし、このとき撮影された画像は、動画観賞用に送られた信号なので、静止画として鑑賞するには十分な画質ではない。したがって、後述するように、この時得た画像に基づいてより高精細な画像を、データ送受信部９ｃを介し、改めて取得するようにしている。なお、この時、得た放送信号に含まれる放送付随データを同時に取得、記録するようにしてもよい。
【００２４】
また、カメラ１００には、圧縮部６、記録部９ａ、記録メディア９、データ送受信部９c、再放送タイミング送信要求部９ｄ、表示パネル８、表示制御部８ａ及びマルチ画像処理部８ｂが設けられている。圧縮部６は、撮影時に画像処理部５から出力された信号を圧縮する。圧縮部６内には、ＭＰＥＧ（Ｍｏｖｉｎｇ  Ｐｉｃｔｕｒｅ  Ｅｘｐｅｒｔｓ  Ｇｒｏｕｐ）４やＨ．２６４などの圧縮用コア部で構成される動画用の圧縮部及びＪＰＥＧ（Ｊｏｉｎｔ  Ｐｈｏｔｏｇｒａｐｈｉｃ  Ｅｘｐｅｒｔｓ  Ｇｒｏｕｐ）コア部など静止画像用の圧縮部が設けられる。また、圧縮部６は記録メディア９に記録されている画像を表示パネル８に再生する際には、画像伸張も行なう。
【００２５】
記録部９ａは、圧縮された画像信号を記録メディア９に記録する。記録メディア９はカメラに着脱可能な保存用の記録媒体である。なお、画像信号の記録にあたっては、前述の放送付随データのほか、写真撮影した時の時間情報も併せて記録しても良い。撮影時間情報は、後述するMPU1内の時計部１ｔによって計測されており、ＭＰＵ１は画像と関連付を行なう。
【００２６】
メディア９や記録部９aに記録された撮影画像データは、データ送受信部９ｃによって、インターネットや携帯電話などの通信回線３２経由で、画像を管理するサーバー３４等の他の機器に転送したり、テレビ放送を行った放送局３３が持つサーバー３４に画像を送信することができる。サーバー３４に送信した画像は、第三者３１にすぐ見せることができ、画像を見ながらのコミュニケーションの促進が可能となっている。
【００２７】
このサーバー３４への送信操作にあたって、送信先を指定する送信設定手段を有しても勿論よいが、放送受信部５ｃによってテレビ放送の受信時に得たデータ放送に基づくアクセス先に送信するようにしてもよい。また、この時送信するデータは、単に画像だけでなく、ユーザーが撮り逃した画像がある場合に再放送時の情報を送るよう、要望を出すようなデータ送信を行ってもよい。このため、データ送受信部９ｃとMPU1との間には、再放送のタイミングの情報を送信要求するためのデータを生成する再放送タイミング送信要求部９ｄを配置している。
【００２８】
表示パネル８は、例えば液晶や有機ＥＬ等から構成され、撮影時には観察用に被写体画像を表示し、再生時には伸張処理された記録画像を表示する。また、この表示パネル８は、放送受信部５ｃやデータ送受信部９ｃを介して受信したテレビ放送の画像を表示する。
【００２９】
また、表示制御部８aは、表示パネル８への表示を制御する。マルチ画像処理部８ｂは、表示パネル８上に、複数の画像を表示する場合の制御部である。このマルチ画像処理部８ｂによって、撮影した画像や撮影する画像の上に、送信先のアドレスの文字表示や種々の警告表示をすることが可能である。前述の、再放送タイミングの情報なども、マルチ画像処理部８ｂによって表示する。なお、表示パネル８には、撮影して送信済み画像を一覧表示して、そこからサーバー３４が運営するブログサービスなどにアップする画像や、アップして、ブログに表示する時のレイアウトを選択できるようにしてもよい。
【００３０】
カメラ１００には、補助光発光部１１、ＭＰＵ（Micro
Processing Unit）１、レリーズスイッチ１ａ、モード切替スイッチ１ｂ、他のスイッチ１ｃが設けられる。補助光発光部１１は、白色ＬＥＤやＸｅ放電発光管を有し、電流量で光量が制御できるようになっている。状況に応じて被写体２０に光を照射して、明るさの不足や不均一な明るさを防止する。
【００３１】
ＭＰＵ１は、カメラ全体の制御を司る制御手段である。レリーズスイッチ１ａ、モード切替スイッチ１ｂ、他のスイッチ１ｃおよびプログラム等を記憶したＲＯＭ(不図示)が、ＭＰＵ１に接続される。ＭＰＵ１内には、日や時刻を検出するための時計部１ｔが設けられており、写真の撮影日時を検出し、撮影画像と関連付けを行う。なお、スイッチ１ｂ、１ｃは、スイッチを総称的に表示したものであって、実際には多数のスイッチ群から構成されている。
【００３２】
各スイッチ１ａ〜１ｃは、ユーザーの操作を検出して、その結果をマイクロコントローラからなる演算制御手段であるＭＰＵ１に通知する。ＭＰＵ１が、これらのスイッチの操作に従って動作を切り換える。さらに、サイトサーバー５１のアドレスを示すコードを表示パネル８に表示するか否かについても、これらのスイッチの変化を検出することによって行われる。また、ＭＰＵ１は撮影時には、ＡＦ制御部２ａや絞り制御部２ｃ等の制御を行う撮影制御部として機能する。
【００３３】
次に、図２を用いて、テレビ（ＴＶ）受信機能付きのカメラ１００、放送局３３およびサーバー３４との間における画像と情報の授受を中心に説明する。図２は、カメラ１００、放送局３３およびサーバー３４とからなる高品位の静止画像を取得するためのシステムを示す図である。
【００３４】
放送局３３内には、番組やコマーシャルで放送するための動画像に対応する高品位の静止画像として詳細画像Ａ４１、詳細画像Ｂ４２等があり、これらの画像は、記憶部に記憶されている。また、放送データベース４３は、これらの番組やコマーシャルの放送日時等のデータを記憶している。また番組やコマーシャルをワンセグ放送として送信するためのワンセグ部４４が設けられている。
【００３５】
また、放送局３３が運営する、または放送局３３と連携するものが運営するサーバー３４内には、カメラ１００から高品位画像の送信要求や再放送タイミング送信要求などを受信し、またカメラ１００に対して高品位画像や再放送タイミング等の画像や情報を送信するための送受信部４５が設けられている。この送受信部４５はインターネットや携帯電話網などの通信回線を介してカメラ１００と通信を行なうことができる。
【００３６】
また、サーバー３４内には、受信判定部４６と画像決定部４７が設けられている。受信判定部４６はカメラ１００からの送信要求などの信号を受信し、その内容を判定する判定部である。また、画像決定部４７は、カメラ１００から高品位画像の送信要求を受信した場合に、詳細画像Ａ４１や詳細画像Ｂ４２等の中から対応する高品位画像を検索し、決定する。
【００３７】
この図２を用いて、本実施形態に係るシステムの動作について説明する。まず、放送局３３は、番組やコマーシャルをワンセグ部４４からワンセグ放送を行なう。ワンセグ方法は、画質的に静止画鑑賞するには不十分であるが、このワンセグ放送をカメラ１００の方送受信部５ｃが受信すると（図２中の「ア」）、表示パネル８に再生表示する。
【００３８】
撮影者は表示パネル８に表示されたワンセグ放送の画像で気に入った画像が表示された場合、例えば、放送画像中のアイドルが、自分の好きな表情をしたときに、通常のカメラと同様、レリーズスイッチの押し込み、撮影操作を行なう。このときの押し込まれたタイミングを示す信号と撮影した低画質の放送取得画像４８が、データ送受信部９ｃを介して放送局３３に送信される（図２中の「イ」）。この送信タイミングは、カメラ１００がホットスポットに入り、無線送信が可能になったときや、カメラ１００がＰＣを介してインターネットに接続されたときに行なう。また、カメラ１００と携帯電話の間で送信可能であれば、携帯電話の通信網を利用して、撮影時に送信を行ってもよい。
【００３９】
放送局３３は、あらかじめ、ワンセグ部４４で動画放送するための画像とは別に、その動画の各コマに対応する静止画鑑賞に耐える高品位画像（ハイビジョン画像でもよい）を、詳細画像Ａ４１、詳細画像Ｂ４２等として用意している。また、高品位画像をワンセグ放送用の画質にデータを落として放送している場合、その元画像から、静止画を生成してもよい。
【００４０】
図２の「イ」のルートを介してカメラ１００から送信されたタイミング情報と、低画質画像を送受信部４５で受信すると、そのタイミングで放送したコマの高品位な静止画像を検索し、検索された高品位静止画像をカメラ１００に送信する（図２の「ウ」）。ここで、カメラ１００からの信号は受信判定部４６で判定され、この判定結果に基づいて、画像決定部４７が画像検索を行なう。この検索された高品位静止画像４９は、送受信部４５およびインターネット等の通信回線３２を介してカメラ１００のユーザーに送られる。
【００４１】
また、受信判定部４６は、ユーザーが再放送の情報を求めているかを判定する。判定の結果、再放送情報を求めていた場合には、放送データベース（ＤＢ）４３の内容を検索し、再放送の期日、時間等の情報を送受信部４５からカメラ１００に送信する。
【００４２】
このような構成を採用することによって、あまり精細度の高くない放送取得画像４８から、この画像に対応する高品位静止画像４９が検索され、通信回線３２を介してカメラ１００に送信されるので、テレビ画像を撮影しながら、より良好な画質の画像を取得することができる。
【００４３】
さらに、撮り逃したときには、繰り返しコンテンツの受信が可能な放送の特性を活かし、その再放送のタイミングを、カメラ１００が取得することができる。すなわち、次の放送時間情報のデータを要求できるようにすることができ、もっと良いタイミングでの撮影のトライが可能となり、あるいは、同じアイドルが登場する別の画像（詳細画像Ａ４１か詳細画像Ｂ４２のいずれか）の放送時間情報も得て、違う表情やポーズの撮影をも楽しむことが可能となる。
【００４４】
本実施形態の説明においては、放送局３３にのみに負担がかかるのを回避するために、放送局３３と１つのサーバー３４に機能が分散している図を示したが、さらに別々のサーバーが別々のコンテンツを持つようにして、放送ＤＢのみを放送局から取得できるようにしてもよい。例えば、Ｘ社のＣＭはサーバーＸが管理し、Ｙ社のＣＭはサーバーＹが管理するようにしてもよい。この場合、ワンセグ放送などにおけるデータ通信機能を利用し、サーバーごとにそこで行なっているサービスの情報を送信し、サーバーにアクセスすれば、希望するサービスを受けられるようにしても良い。勿論、放送局３３にサーバー３４の機能を集中するようにしても良い。
【００４５】
なお、放送タイミングの誤差から、別画像が送られたりするのを防止するために、放送取得画像４８の画像データを利用している。これは、放送局３３で動画像を発信するタイミングとカメラ１００が動画像を取得するタイミングが一致していない可能性があるために、画像データも用いて、高品位静止画像の検索を行なうようにしている。しかし、放送タイミングや受信タイミングに誤差がなければ、タイミング情報だけでも、本システムは成立する。このようなサービスによって、カメラでの撮影の機会の向上が撮影スキルのアップとなり、放送局やＣＭ作成者にとっても、そのコンテンツを繰り返し見てもらえるというメリットがある。
【００４６】
次に、図３に示すフローチャートを用いて、カメラ１００の動作を説明する。まずカメラ制御のフローがスタートすると、放送受信か否かの判定を行なう（Ｓ１）。これは、撮影者がカメラ１００の操作スイッチ１ｂ、１ｃを操作し、ワンセグ放送の受信モードに切り換えたか否かの判定である。判定の結果、放送受信ではない場合には、通常のカメラ制御を行うべく、ステップＳ２以下に進む。
【００４７】
ステップＳ２以下は、通常の撮影操作であり、カメラの撮影レンズ２や撮像素子３を利用し、本来のカメラにおける撮影や記録を行う。まず、撮影か否かの判定、すなわち、レリーズ釦が押され、レリーズスイッチ１ａがオンとなったか否かの判定を行う（Ｓ３）。判定の結果、撮影であった場合には、撮影、すなわち撮像素子３上に結像した被写体像を光電変換し、画像データを取得する（Ｓ３）。続いて、取得した画像データを記録部９ａまたはメディア９に記録し（Ｓ４）、記録が終わるとリターンする。
【００４８】
ステップＳＳ２において、撮影ではなかった場合には、次に、再生か否かの判定を行なう（Ｓ１１）。判定の結果、再生である場合には、記録部９ａまたはメディア９に記録された画像データを表示パネル８に表示する（Ｓ１２）。ここで再生される画像は、撮影レンズ２を介して撮影された画像や、また図２で説明したような放送局３３等から送信され、取得した画像である。なお、ここで再生された画像を、送信設定することにより、データ送受信部９ｃより画像送信を行なえるように構成してもよい。以上の各ステップは、一般的に行われる撮影および送信のフローである。
【００４９】
本実施形態においては、テレビ放送の画面に登場する人物なども、カメラにおける通常の撮影時と同様、表示パネル８に表示し、あたかも目の前にいるような感覚で撮影が可能である。このような放送受信モードが設定されている場合には、ステップＳ１における判定の結果、放送受信モードと判定され、ステップＳ２１以下のテレビ撮影フローに移行する。
【００５０】
テレビ撮影フローに入ると、まず、テレビ局の選択を行ない、放送受信部５ｃは放送電波からテレビ信号を再生し、表示パネル８にテレビ画像の表示を行なう（Ｓ２１）。次に、撮影を行うか否か、すなわちレリーズ釦が全押しされたか否かの判定を行なう（Ｓ２２）。判定の結果、撮影動作を行う場合には、放送受信部５ｃによって受信した動画像に基づいて、レリーズ釦が操作されたタイミングで放送動画像の一部を仮記録する（Ｓ２４）。ここで記録される画像は動画像に基づいているために画質が悪い。このため、このステップでは仮記録としている。
【００５１】
次に、この撮影時にあわせて撮影タイミングも一緒に記録する（Ｓ２５）。撮影タイミングはＭＰＵ１内の時計部１ｔの出力に基づいて行なう。撮影タイミングを記録するのは、前述したように、後にサーバー３４に送信し、放送画像よりも高品位の画像を取得する際に、ユーザーの希望する画像を選定するときに利用する。同時に、画像を要求する際のサーバー３４等のアクセス先信号を取得するようにしてもよい。
【００５２】
続いて、放送受信モードの設定が解除されたか否かの判定を行ない（Ｓ２６）、解除されていない場合には、ステップＳ２１に戻り、前述のステップを繰り返す。以上のテレビ撮影フローで得た画像に対応する高品位画像を得るには、ネットワークに接続し、ステップＳ３１以下を実行すればよいが、詳細については、後述する。
【００５３】
ステップＳ２６において、判定の結果、放送受信モードが解除されていた場合には、データ受信か否かの判定を行う（Ｓ３５）。これは後述するステップＳ３２において画像要求した場合にサーバー３４より高品位の静止画像や再放送情報が送信されてくる。ステップＳ３５において、これらのデータを受信するか否かを判定し、受信の場合には受信データを記録し（Ｓ３６）、記録が終わるとリターンする。なお、ステップＳ３５において、所定時間、データ受信がない場合には、リターンする。
【００５４】
ステップＳ１１において、判定の結果、再生モードでなかった場合には、次に、再放送の日時になったかを判定する（Ｓ１５）。これは、ステップＳ３４おいて再放送の日時に関する再放送タイミング送信要求をサーバー３４に対して要求し、ステップＳ３６において再放送の日時に関する情報を取得した場合、この再放送日時であるか否かの判定を行なうものである。
【００５５】
ステップＳ１５における判定の結果、再放送の日時ではない場合には、ステップＳ３１以下に進み、テレビ撮影フローで得た画像に対応する高品位画像を得る。まず、ネットワークに接続し、画像要求の操作を行うか否かの判定を行なう（Ｓ３１）。これは、ステップＳ２２からＳ２５において記録した放送画像について、サーバー３４に対して高品位画像を要求しておらず、かつカメラ１００がサーバー３４にアクセスできる環境にあるか否かを検出することにより行なう。
【００５６】
ステップＳ３１における判定の結果、画像要求を行なう場合には、前述のアクセス先情報に基づく通信を行い、仮記録した放送画像や撮影タイミングを送信する（Ｓ３２）。これによって、ネットワークにつながったサーバー３４は、撮影者が撮影したかったと思われる静止画像を検索し、その画像データ等を送信する。カメラ１００が画像データ等を受信するときには、前述したステップＳ３５をＹに分岐して、ステップＳ３６にて受信画像データ等を記録する。
【００５７】
次に、再放送要求を行なうかの判定を行なう（Ｓ３３）。これは、撮影ミスや撮り逃しをして、再放送で再度撮影を行いたい場合に、操作用のスイッチ１ｂ、１ｃによって設定を行なうので、このステップでは再放送日時情報要求の設定がなされているか否かの判定を行なう。判定の結果、要求がなされていた場合には、再放送タイミング送信要求部９ｄより、サーバー３４に対して要求を送信する（Ｓ３４）。この時、同じ人物が出るが、別バージョンのコマーシャルがある場合には、そのバージョンを選択できるようにしてもよい。こうした情報は、前述したステップＳ３５のデータ受信の時に取得して表示可能なようにする。サーバー３４へのアクセス時に、この要求を行うと、サーバー３４は再放送の日時データを送ってくるので、前述したステップ３６において、それを記録する。
【００５８】
ステップＳ１５において、再放送の日時か否かの判定の結果、再放送の日時であった場合には、ステップＳ２１以下の放送の再生に移るがその前に、撮影中か否かの判定を行なう（Ｓ１６）。これは、放送されてきた画像の再生が、カメラとしての本来の撮影中に突然行なってしまうと、本来のカメラとしての撮影に支障を生じてしまう。そこで、判定の結果、撮影中である場合には、警告を表示し（Ｓ１７）、この放送画像の再生を禁止する。一方、撮影中ではない場合には、ステップＳ２１に進み、前述したステップを実行し、再放送の画像を再生すると共に撮影を行う。
【００５９】
このように、本実施形態のカメラによれば、現実の撮影と、放送画像による仮想の撮影を共に楽しめる。また、仮想の撮影に失敗してしまった場合でも、次のチャンスの情報、または別バージョン放送の情報によって、再度の撮影チャンスを楽しむことができる。また、本実施形態によれば、単に放送画像を受動的に鑑賞していても、良いシーンを発見すればすぐに撮影することができ、また、それがうまくいかなくても次のチャンスを楽しむことができ、わざわざ、どこかに撮影シーンを求めて出かけていく必要がない。
【００６０】
次に、図４に示すフローチャートを用いて、放送局３３と画像管理用のサーバー３４における動作について、すなわちカメラ１００が画像を送信する画像送信先のサーバー３４の制御を中心に説明する。
【００６１】
図４（Ａ）は、放送局３３のフローであり、放送局３３は所定時間になると（Ｓ１０１）、所定の番組やＣＭの放送を行う（Ｓ１０２）。サーバー３４は、この所定のタイミングで放送が行われるプログラムのデータベース４３を取得し、そのデータと、カメラ１００から送信される撮影情報より、静止画に相応しい高精細画像を送り、また再放送の予告データを送信する。
【００６２】
このサーバー３４の動作を図４（Ｂ）に示す。前述したように、ステップＳ３２（図３）において、カメラ１００はネットにアクセスし、サーバー３４に仮記録画像および撮影タイミングからなる撮影情報を送信する。そこで、まず、この撮影情報が操作されてきたか否かを判定する（Ｓ１１１）。判定の結果、撮影情報を受信している場合には、そのタイミング情報より、ユーザーはどの番組、コマーシャルを撮影したかったか、また再放送を希望しているか否かを判定できる。そこで、まず、撮影タイミングと仮記録画像に基づいて、候補の画像（詳細画像）の中から、画像検索を行い、対応する詳細画像をネット経由でカメラ１００に対して送信する（Ｓ１１２）。
【００６３】
また、カメラ１００が再放送の日時情報を要求してきたか否かを判定する（Ｓ１１３）。判定の結果、要求している場合には、放送局３３の放送データベース４３から、次回にその番組またはコマーシャルが放送される日時の情報をネット経由で送信する。カメラ１００は、この情報をもとに、次回の放送時に放送を受信、再生し、または警告を発し、ユーザーに再放送の撮影タイミングが来たことを認知せしめる。
【００６４】
以上、説明したように、本実施形態においては、放送局３３やサーバー３４のサービスと連携して、現実の撮影のみならず仮想の画像をも撮影可能とし、楽しみを倍増したカメラを提供できる。
【００６５】
すなわち、本実施形態においては、放送局３３から放送された第１の画像（放送画像４８）を受信する放送受信部５ｃと、この第１画像を再生表示する表示パネル８と、この表示パネル８に表示された画像を静止画像として撮影指示するためのレリーズスイッチ１ａと、このレリーズスイッチ１ａの操作タイミングに応じた情報に基づいて、放送局３３が用意する第２の画像（詳細画像Ａ４１、詳細画像Ｂ４２）を、取得するデータ送受信部９ｃを具備する。
【００６６】
このため、本実施形態においては、ワンセグ等の放送により受信する動画の画質は低品位であるが、これに対応する高品位の画像を、放送局３３と連携するサーバー３４から受信することができる。このため、高品質でテレビ等の放送画像を取得できるカメラおよび画像送信システムを提供することができる。
【００６７】
また、本実施形態においては、再放送の日時情報を取得するようにしている。このため撮影に失敗した場合や、放送時間を見逃した場合に、再度、撮影することができる。
【符号の説明】
【００６８】
１・・・ＭＰＵ、１ａ・・・レリーズスイッチ、１ｂ・・・モード切替スイッチ、１ｃ・・・他のスイッチ、１ｔ・・・時計部、２・・・撮影レンズ、２ａ・・・ＡＦ(オートフォーカス)制御部、２ｂ・・・絞り、２ｃ・・・絞り制御部、３・・・撮像素子、４・・・アナログフロントエンド（ＡＦＥ）部、５・・・画像処理部、５ａ・・・形状判定部、５ｂ・・・リサイズ部、５ｃ・・・放送受信部、５ｄ・・・顔検出部、６・・・圧縮部、８・・・表示パネル、８ａ・・・表示制御部、８ｂ・・・マルチ画像処理部、９・・・記録メディア、９ａ・・・記録部、９ｃ・・・データ送受信部、９ｄ・・・再放送タイミング送信要求部、１１・・・補助光発光部、２０・・・被写体、３１・・・他のユーザー、３２・・・通信回線、３３・・・放送局、３４・・・サーバー、４１・・・詳細画像Ａ、４２・・・詳細画像Ｂ、４３・・・放送ＤＢ、４４・・・ワンセグ部、４５・・・送受信部、４６・・・受信判定部、４７・・・画像決定部、４８・・・放送取得画像、４９・・・高品位静止画像、１００・・・カメラ
【図１】
2014027666.tif 000003
【図２】
2014027666.tif 000004
【図３】
2014027666.tif 000005
【図４】
2014027666.tif 000006